(57)【特許請求の範囲】
【請求項１】
建築物のパラペット部分と直交し且つ実質的に水平な方向に延びる基部管と、基部管から上方に延びる支柱と、基部管をパラペット部分に固定すべく該パラペット部分の顎部(Wa)を挟持可能な係留具とを有するガードポストにおいて、
前記基部管は、前記パラペット部分の上面に配置され、該パラペット部分の直上帯域（β）から建物内側領域（α）又は建物外側領域（ε）に突出する第１突出部分（δ）及び第２突出部分（η）を有し、
前記係留具は、前記基部管に沿って移動可能又は移設可能に該基部管の第１突出部分（δ）に取付けられ、前記顎部(Wa)を強圧可能な当接部を有する可動係留具(5)と、前記基部管の第２突出部分（η）に固定され、前記可動係留具の当接部と対向して前記顎部(Wa)を強圧可能な当接部を有する固定係留具(4)とから構成され、前記基部管は、第１突出部分（δ）を建物内側領域（α）に向けて配置した第１使用位置と、第１突出部分（δ）を建物外側領域（ε）に向けて配置した第２使用位置とに選択的に設置されるようになっており、
前記基部管を支持し且つパラペット部分に対する該基部管の位置を固定する一対の支点が、前記パラペット部分と前記可動係留具及び固定係留具の各当接部との接触圧により形成され、前記支柱と前記基部管との接合部が、前記パラペット部分の直上領域（β）に配置され、前記支柱は、その中心線の延長部分が前記支点の間の領域を通るように前記基部管に接合されており、
前記基部管の管体と前記パラペット部分との接触面積を拡大するとともに、前記基部管を前記パラペット部分に仮置きした状態においてガードポストの姿勢を過渡的に安定させる支承部材が、前記基部管に設けられており、該支承部材は、前記基部管に一体的に取付けられるとともに、前記パラペット部分の上面に着座する水平又は平坦な下面を有し、前記基部管は、前記パラペット部分の上面に支承されることを特徴とするガードポスト。
【請求項２】
請求項１に記載されたガードポストをパラペット部分に設置するガードポスト設置方法であって、
前記基部管を第１使用位置に位置決めしたときに前記可動係留具を締付けて該可動係留具の当接部で前記顎部の建物内側表面(Wc)を強圧し、
前記基部管を第２使用位置に位置決めしたときに前記固定係留具を締付けて該固定係留具の当接部で前記顎部の建物内側表面(Wc)を強圧することを特徴とするガードポスト設置方法。
【請求項３】
足場板が前記基部管上に敷設され、仮設足場又は仮設通路が前記パラペット部分に沿って形成されることを特徴とする請求項２に記載のガードポスト設置方法。
【発明の詳細な説明】
【技術分野】
【０００１】
本発明は、ガードポストに関するものであり、より詳細には、建築物の屋根又は屋上のパラペット（扶壁）上に墜落防護工を形成するガードポストに関するものである。
【背景技術】
【０００２】
集合住宅等の建築物の補修・改修工事においては、多くの場合、屋根又は屋上の防水層の補修・改修等が実施される。このような補修・改修工事においては、既設の手摺り等を備えない屋上又は屋根面において作業者が防水工事、塗装工事等の諸作業を実施する必要が生じる。一般に、建築物の屋上等の外縁帯域又は外周帯域には、防水層の仕舞い又は納まり等のためにパラペット（扶壁）が配設されるが、パラペットは、高さ４５０mm〜７００mm程度の低い手摺りを屋上等の外周部に形成するにすぎない。このため、屋上等における作業の安全措置又は安全対策として、仮設の墜落防護工を屋上等の外縁部に形成し、高所作業の安全性を確保する必要がある。
【０００３】
この種の墜落防止工として、建築物の屋上等のパラペット部分に着脱可能に立設されるガードポスト（「スタンション」とも呼ばれる。）が知られている（特許文献１〜４）。通常は、多数のガードポストが、間隔を隔ててパラペット部分に配設される。なお、「ガードポスト」は、「仮設機材認定基準とその解説（第６版）」（非特許文献１）の「第６章」に記載されたとおり、「墜落防止のため上さん（手すり）を取り付けるための束柱」であり、ガードポストの取付け強度、曲げ剛性等は、所定の「滑り試験」「たわみ及び曲げ強度試験」の基準に適合する必要がある。
【０００４】
図６は、従来のガードポストＰの構成を概略的に示す屋上部分の部分断面図である。図６には、鉄筋コンクリート（ＲＣ）構造の建物Ａのパラペット部分Ｗ及び構造体Ｋが示されるとともに、パラペット部分Ｗ及び構造体Ｋと関連して施工された防水層Ｊ、断熱材Ｉ、防水押えコンクリートＭ、溶接金網Ｎ、伸縮目地Ｑ、押だし成形セメント板Ｕ等が示されている。ガードポストＰの各構成要素は、図示を簡略化するために図６に単線表示で概念的に示されている。
【０００５】
ガードポストＰは、建物Ａの屋上又は屋根の外縁部に設けられたパラペット部分Ｗに着脱可能に取付けられた基部Ｂと、鉛直方向に延びる支柱部分Ｓとから構成される。ガードポストＰは、パラペット部分Ｗに間隔を隔てて配置される。隣り合うガードポストＰ同士を架橋するように、仮設足場用単管（鋼管）等の横架材Ｅが手摺りの上桟及び下桟として各支柱部分Ｓに係留される。かくして手摺り形態に組立てられたガードポストＰ及び横架材Ｅは、パラペット部分Ｗに沿う墜落防護工を屋根又は屋上の外周帯域に形成する。
【先行技術文献】
【特許文献】
【０００６】
【特許文献１】実用新案登録第３０８３４９３号公報
【特許文献２】実用新案登録第３１８４０５２号公報
【特許文献３】特開２０１３−２２１３００号公報
【特許文献４】実用新案登録第３１９００３８号公報
【非特許文献】
【０００７】
【非特許文献１】「仮設機材認定基準とその解説（第６版）」（平成２５年９月１日  一般社団法人仮設工業会発行）
【発明の概要】
【発明が解決しようとする課題】
【０００８】
特許文献１〜４に記載される如く、従来のガードポストＰは、パラペット部分Ｗの建物内側領域αに支柱部分Ｓを配置するように構成されており、基部Ｂは、パラペット部分Ｗの上部域から建物内側領域αに向かって概ね水平に突出し、支柱部分Ｓは、基部Ｂの内方突出部分Ｂａから上方に延びる。これは、ガードポスト設置作業の作業性や、ガードポスト傾倒時の状況又は状態、更には、パラペット部分Ｗと支柱部分Ｓとの位置的又は構造的な干渉等を考慮したことに起因すると考えられる。
【０００９】
しかしながら、このような構成のガードポストＰにおいては、ガードポストＰの重心Ｇが基部Ｂの支点中心Ｃ（支点Ｆの中間点）から比較的大きく水平方向（平面視）にずれた位置に位置し、従って、横架材Ｅ及び支柱部分Ｓの鉛直荷重Ｌｖに起因した比較的大きな曲げモーメントＭが基部Ｂに常時作用する。作業者の体重等が横架材Ｅに更に作用した場合には、鉛直荷重Ｌｖの増大に伴って、基部Ｂに作用する曲げモーメントＭは、更に増大する。
【００１０】
また、ガードポストＰの安全性は、その安全基準（非特許文献１）に適合すべく、支柱部分Ｓの頂部に作用する所定の水平荷重Ｌｈ、Ｌｈ'によって評価すべき必要がある。なお、水平荷重Ｌｈ及び水平荷重Ｌｈ'は、逆方向に選択的に作用する荷重であり、ガードポストＰは、いずれの荷重に対しても、大きな傾倒又は曲げ変形や、パラペット部分Ｗからの脱落等を回避すべき必要がある。
【００１１】
しかしながら、基部Ｂに作用する曲げモーメントＭが増大すると、水平荷重Ｌｈ、Ｌｈ'と相俟って、過大な曲げ応力、剪断応力等が基部Ｂに作用し、基部Ｂとパラペット部分Ｗとの接触部（支点Ｆ）に過大な構造負荷が課せられる状態が生じ得るので、このような構造負荷を軽減し、ガードポストＰの耐力又は耐久性を向上することが望ましい。
【００１２】
本発明は、このような事情に鑑みてなされたものであり、その目的とするところは、建築物の屋根又は屋上のパラペット上に墜落防護工を形成するガードポストにおいて、ガードポストに作用する曲げモーメントを軽減し、過大な曲げ応力、剪断応力等がガードポストの基部に作用するのを防止することにある。
【課題を解決するための手段】
【００１３】
本発明は、上記目的を達成すべく、建築物のパラペット部分と直交し且つ実質的に水平な方向に延びる基部管と、基部管から上方に延びる支柱と、基部管をパラペット部分に固定すべく該パラペット部分の顎部(Wa)を挟持可能な係留具とを有するガードポストにおいて、
前記基部管は、前記パラペット部分の上面に配置され、該パラペット部分の直上帯域（β）から建物内側領域（α）又は建物外側領域（ε）に突出する第１突出部分（δ）及び第２突出部分（η）を有し、
前記係留具は、前記基部管に沿って移動可能又は移設可能に該基部管の第１突出部分（δ）に取付けられ、前記顎部(Wa)を強圧可能な当接部を有する可動係留具(5)と、前記基部管の第２突出部分（η）に固定され、前記可動係留具の当接部と対向して前記顎部(Wa)を強圧可能な当接部を有する固定係留具(4)とから構成され、前記基部管は、第１突出部分（δ）を建物内側領域（α）に向けて配置した第１使用位置と、第１突出部分（δ）を建物外側領域（ε）に向けて配置した第２使用位置とに選択的に設置されるようになっており、
前記基部管を支持し且つパラペット部分に対する該基部管の位置を固定する一対の支点が、前記パラペット部分と前記可動係留具及び固定係留具の各当接部との接触圧により形成され、前記支柱と前記基部管との接合部が、前記パラペット部分の直上領域（β）に配置され、前記支柱は、その中心線の延長部分が前記支点の間の領域を通るように前記基部管に接合されており、
前記基部管の管体と前記パラペット部分との接触面積を拡大するとともに、前記基部管を前記パラペット部分に仮置きした状態においてガードポストの姿勢を過渡的に安定させる支承部材が、前記基部管に設けられており、該支承部材は、前記基部管に一体的に取付けられるとともに、前記パラペット部分の上面に着座する水平又は平坦な下面を有し、前記基部管は、前記パラペット部分の上面に支承されることを特徴とするガードポストを提供する。
【００１４】
上記構成のガードポストによれば、可動係留具の位置を調節又は設定変更することにより、多様な寸法及び形態のパラペット部分を一対の係留具によって確実に挟持することができる。また、上記構成のガードポストは、対をなす可動係留具及び固定係留具を備え、可動係留具及び固定係留具が夫々、パラペット部分を強圧可能な当接部を有するので、第１位置及び第２位置に反転することができる。更に、本発明によれば、支柱と基部管との接合部がパラペット部分の直上領域に位置するので、基部管に作用する曲げモーメントは、作業者の体重等が支柱に作用するか否かにかかわらず、大きく低減する。このため、ガードポストの支点には、滑り等の現象が発生し難く、従って、ガードポストは、パラペット部分によって確実に安定支持することができる。
【００１５】
また、基部管に作用する曲げモーメントが低減するので、基部管又はその延長部分によって足場板等を支持することが可能となる。従って、上記構成のガードポストによれば、足場板を基部管又はその延長部分に敷設することにより、作業用仮設足場又は仮設通路を建物屋上部分の外周帯域等に形成することができる。
【００１６】
また、本発明によれば、上記基部管の支承部材が、パラペット部分の上面に着座し、パラペット部分の上面に支承されるので、パラペット部分の上面によってガードポストの支持力（反力）を付加的に確保することができる。
【００１７】
更に、本発明によれば、基部管の支承部材は、基部管に一体的に取付けられるとともに、水平又は平坦な下面を有し、基部管の管体とパラペット部分との接触面積を拡大する。支承部材は、基部管をパラペット部分に仮置きした状態（係留具による固定前の状態）においてガードポストの姿勢を過渡的に安定させる。所望により、スペーサ、緩衝材等が、基部管又は支承部材と、パラペット部分の上面との間に介挿される。
【００１８】
他の観点より、本発明は、上記構成のガードポストをパラペット部分に設置するガードポスト設置方法であって、
前記基部管を第１使用位置に位置決めしたときに前記可動係留具を締付けて該可動係留具の当接部で前記顎部の建物内側表面(Wc)を強圧し、
前記基部管を第２使用位置に位置決めしたときに前記固定係留具を締付けて該固定係留具の当接部で前記顎部の建物内側表面(Wc)を強圧することを特徴とするガードポスト設置方法を提供する。
所望により、足場板が前記基部管上に敷設され、仮設足場又は仮設通路が前記パラペット部分に沿って形成される。
【発明の効果】
【００１９】
本発明の上記構成によれば、建築物の屋根又は屋上のパラペット上に墜落防護工を形成するガードポストにおいて、ガードポストに作用する曲げモーメントを軽減し、過大な曲げ応力、剪断応力等がガードポストの基部に作用するのを防止することができる。
【図面の簡単な説明】
【００２０】
【図１】図１は、本発明の好適な実施例に係るガードポストの構造を示す側面図及び部分拡大正面図である。
【図２】図２は、図１に示すガードポストの底面図及び平面図である。
【図３】図３は、ガードポストをパラペット部分に固定するための係留具の構造を示す拡大側面図である。
【図４】図４は、図１〜図３に示すガードポストの構成を概略的に示す屋上部分の部分断面図である。
【図５】図５は、ガードポストの他の使用形態を示す側面図である。
【図６】図６は、従来のガードポストの構成を概略的に示す屋上部分の部分断面図である。
【発明を実施するための形態】
【実施例】
【００２１】
以下、添付図面を参照して、本発明の好適な実施例について詳細に説明する。
【００２２】
図１（Ａ）及び図１（Ｂ）は、本発明の好適な実施例に係るガードポストの構造を示す側面図及び部分拡大正面図であり、図２（Ａ）及び図２（Ｂ）は、図１に示すガードポストの底面図及び平面図である。また、図３は、ガードポストをパラペット部分に固定するための係留具の構造を示す拡大側面図である。
【００２３】
図１及び図２には、建物Ａのパラペット（扶壁）部分Ｗに取付けられたガードポスト１が示されている。建物Ａは、鉄筋コンクリート（ＲＣ）構造の建築物であり、パラペット部分Ｗは、建物Ａの屋上又は屋根の外縁帯域において建物最上層の鉄筋コンクリート構造体Ｋ（コンクリートスラブ、梁等）から一体的且つ鉛直上方に延びる。パラペット部分Ｗは、構造体Ｋ上の防水層Ｊの仕舞い又は納まり等のために防水層Ｊの立上り部を形成するとともに、高さ４５０mm〜６００mm程度の低い手摺りを建物Ａの外周部に形成する。パラペット部分Ｗの上部は、建物内方に突出した顎部Ｗａを有し、パラペット部分Ｗの上面奥行寸法Ｘ１は、通常は、３００〜５００mm程度の寸法に設定される。図１には、パラペット部分Ｗの直上帯域βと関連して建物内側領域α及び建物外側領域εが示されている。なお、図１には、パラペット部分Ｗ、構造体Ｋ及び防水層Ｊと関連して施工された断熱材Ｉ、防水押えコンクリートＭ、溶接金網Ｎ、伸縮目地Ｑ、押だし成形セメント板Ｕ等が示されているが、このような建物屋上部分又は建物屋根部分の構成要素は、当業者にとって周知構成のものであるので、これらの構成要素の説明については、省略する。
【００２４】
図１（Ａ）に示す如く、ガードポスト１は、パラペット部分Ｗと直交する方向に延びる鋼製基部２と、基部２から鉛直上方に延びる鋼製支柱３と、基部２を顎部Ｗａに固定するための固定係留具４及び可動係留具５とから構成される。基部２は、円形断面の水平鋼管２０からなり、支柱３は、円形断面の鉛直鋼管３０からなる。仮設足場用クランプ部材等の緊結具３１が上下方向に間隔を隔てて鉛直鋼管３０に取付けられており、仮設足場用単管等の鋼管６が、緊結具３１によって支柱３に水平に取付けられる。
【００２５】
図２（Ｂ）に示す如く、複数のガードポスト１がパラペット部分Ｗに間隔を隔てて配置される。鋼管６は、隣り合う支柱３の間に架設され、パラペット部分Ｗと平行に延びる手摺り（上桟及び下桟）をパラペット部分Ｗの上方域に形成する。所望により、図１（Ａ）及び図２（Ｂ）に仮想線（一点鎖線）で示す如く、金属製又は木製の足場板７を基部２上に敷設し、隣り合う基部２の間に架設しても良い。
【００２６】
鉛直鋼管３０の下端部は、溶接等によって基部２の上面に堅固に固定される。鋼管２０、３０の接合部を補強する三角形輪郭の鋼製補強板３２が、溶接等によって鋼管２０、３０に固定される。鋼管２０、３０の接合部は、パラペット部分Ｗの上面奥行寸法Ｘ１の範囲内の帯域、即ち、パラペット部分Ｗの直上帯域βに位置決めされる。水平鋼管２０とパラペット部分Ｗとの接触面積を拡大する支承部材２１が、鉛直鋼管３０の直下において水平鋼管２０の下面に取付けられる。支承部材２１は、水平鋼管２０をパラペット部分Ｗ上に仮置きした状態（係留具４、５によって基部２を顎部Ｗａに固定する前の状態）においてガードポスト１の姿勢を過渡的に安定させる姿勢安定手段として機能する。支承部材２１は、溝形又は凹形断面の鋼材からなり、溶接等の固定手段によって水平鋼管２０の下側に固定される。支承部材２１は、水平な平坦面２１ａを有し、平坦面２１ａは、パラペット部分Ｗの上面に着座する。
【００２７】
水平鋼管２０は、直上帯域βの部分（奥行寸法Ｘ１）に対し、その両側に延出する寸法Ｘａの第１突出部分δと、寸法Ｘｂの第２突出部分ηとを有する。図１には、後述する図４（Ａ）の使用形態と同じく、第１突出部分δを建物内側領域αに向けて配置し且つ第２突出部分ηを建物外側領域εに向けて配置した状態（第１使用位置）のガードポスト１が示されているが、後述する図４（Ｂ）の使用形態と同じく、第１突出部分δを建物外側領域εに向けて配置し且つ第２突出部分ηを建物内側領域αに向けて配置した状態（第２使用位置）にガードポスト１を設置しても良い。
水平鋼管２０には、多数の位置決め孔２２が所定間隔を隔てて穿設される。位置決め孔２２は、対をなして水平鋼管２０の両側の管壁部分に形成される。図１（Ｂ）に示す如く、可動係留具５を構成する係止具８のトグルピン８１が位置決め孔２２に挿入される。係止具８は、図２に示す如く、一対のトグルピン８１を連結部８０によって相互連結した構造を有する。
【００２８】
図３に示す如く、可動係留具５は、水平鋼管２０の第１突出部分δ上で移動可能に水平鋼管２０に取付けられた可動管５０を有する。可動管５０は、円形断面の鋼製短管からなる。水平鋼管２０は、可動管５０を貫通しており、可動管５０は、水平鋼管２０の軸線方向に摺動する。可動管５０の両側の管壁部分には、トグルピン８１を挿通可能なピン挿通孔５１が穿設される。ピン挿通孔５１を位置決め孔２２に整合させることより、トグルピン８１をピン挿通孔５１及び位置決め孔２２に挿通することができる。ピン挿通孔５１及び位置決め孔２２を貫通したトグルピン８１は、可動管５０及び水平鋼管２０の相対位置を固定するように機能する。他方、トグルピン８１をピン挿通孔５１及び位置決め孔２２から引き抜くことにより、図１（Ａ）に破線で示す如く、可動係留具５を水平鋼管２０に沿って全体的に移動又は移設することができる。かくして、係留具４、５の相対位置を可動係留具５の位置によって調節し、これにより、係留具４、５の相互間隔Ｘ２をパラペット部分の奥行寸法Ｘ１に相応して適宜設定変更することができる。
【００２９】
可動係留具５を支柱３の側に移動させ、固定係留具４に最も近い位置の位置決め孔２２に係止具８のトグルピン８１を挿入した状態が、図３に示されている。図３には、係留具４、５の各部構造が詳細に記載されているので、図３を参照して、係留具４、５の各部構造を説明する。
【００３０】
係留具４、５は夫々、当接部４３、５３を備えたアジャスタボルト４２、５２を有する。対向する当接部４３、５３は、パラペット部分Ｗに圧力下に接触してパラペット部分Ｗを挟持するように構成される。図３（Ａ）には、アジャスタボルト４２、５２を弛緩し、当接部４３、５３の相互間隔Ｘ２を最大に拡大した状態が示されている。図３（Ｂ）には、アジャスタボルト４２、５２を締付け方向に回転し、当接部４３、５３の相互間隔Ｘ２を最小に縮小した状態が示されている。なお、鉛直鋼管３０の中心軸線（延長線）ＣＬは、間隔Ｘ２の支柱直下領域γを通る。
【００３１】
アジャスタボルト４２、５２は、各先端部を当接部４３、５３と一体化した外螺子付き軸部４４、５４と、軸部４４、５４の基端部に取付けた平座金４５、５５と、平座金４５、５５に固定したナット４６、５６とから構成される。軸部４４、５４は、鋼製ブラケット４７、５７の下端部に一体化した高ナット４８、５８に螺入し、高ナット４８、５８を貫通する。鋼製ブラケット４７の上端部は、水平鋼管２０の第２突出部分ηに固定される。鋼製ブラケット４７は、第２突出部分ηの下端面から垂下する。鋼製ブラケット５７の上端部は、可動管５０の下端面に固定され、水平鋼管２０の第１突出部分δにおいて可動管５０の下端面から垂下する。
【００３２】
鋼製ブラケット５７は、係止具８の脱落、紛失等を防止するための係留用線材９を備える。線材９は、例えば、鋼製ワイヤからなり、係留用線材９の一端に形成されたループ部９１が、鋼製ブラケット５７の係留孔５９に係留され、係留用線材９の他端に形成されたループ部９２が、リング部材９３を介して、係止具８の係留孔８２に係留される。
【００３３】
次に、上記構成のガードポスト１に関し、その使用形態について説明する。
【００３４】
ガードポスト１は、図１（Ａ）に示すように水平鋼管２０をパラペット部分Ｗの上面に配置又は載置し、支承部材２１の平坦面２１ａをパラペット部分Ｗ上に着座せしめることにより、パラペット部分Ｗ上に位置決めされる。固定係留具４の当接部４３（図３）は、パラペットＷの外側表面（外壁面側の表面）から僅かに離間した位置に配置される。可動係留具５は、図１（Ａ）に矢印で示す如く、顎部Ｗａに接近した位置に移動され、係止具８によって水平鋼管２０に係止される。この結果、可動係留具５の当接部５３（図３）は、顎部Ｗａの内側表面（屋上側又は屋根側の表面Ｗｃ）から僅かに離間した位置に配置される。
【００３５】
アジャスタボルト４２、５２は、図３（Ａ）に矢印で示す如く、適当な工具によってナット４６、５６を回転させることにより、高ナット４８、５８に対して締付けることができる。図１に示す使用形態では、アジャスタボルト５２が締付けられ、当接部４３は、パラペット部分Ｗの屋外側面を強圧し、当接部５３は、顎部Ｗａの表面Ｗｃを強圧する。パラペット部分Ｗは、アジャスタボルト４２、５２の締付け圧力下に、一対の当接部４３、５３で堅固に挟持される。このような状態においては、パラペット部分Ｗと当接部４３、５３との接触部は、一対の支点Ｆを構成し、ガードポスト１は、滑り等の現象が支点Ｆに発生しない限り、パラペット部分Ｗによって安定支持される。
【００３６】
図４は、このようなガードポスト１の支持構造を概略的に示す概念図である。図４（Ａ）には、第１突出部分δを建物内側領域αに向けて配置し且つ第２突出部分ηを建物外側領域εに向けて配置した状態（第１使用位置）のガードポスト１が示され、図４（Ｂ）には、第１突出部分δを建物外側領域εに向けて配置し且つ第２突出部分ηを建物内側領域αに向けて配置した状態（第２使用位置）のガードポスト１が示されている。
【００３７】
図４（Ａ）に示す第１使用位置では、鋼管６及び支柱３の鉛直荷重Ｌｖは、パラペット部分Ｗの直上帯域βにおいて基部２に作用する。基部２に作用する曲げモーメントＭは、作業者の体重等が鋼管６に作用するか否かにかかわらず、極めて小さい。このため、支点Ｆには、滑り等の現象が発生し難く、従って、ガードポスト１をパラペット部分Ｗによって確実に安定支持することができる。このようなガードポスト１の構造的安定性は、図４（Ｂ）に示すようにガードポスト１を逆方向にパラペット部分Ｗに取付けた第２使用位置の場合にも、同様に得られる。なお、容易に理解し得るとおり、建物内側領域αの作業者は、ガードポスト１を第１使用位置（図４（Ａ））に設置するとき、可動係留具５のアジャスタボルト５２（図３）を締付け、他方、ガードポスト１を第２使用位置（図４（Ｂ））に設置するとき、固定係留具４のアジャスタボルト４２（図３）を締付ける。
【００３８】
また、基部２に作用する曲げモーメントＭが低減することから、基部２は、図４（Ａ）に示す如く、基部２の延長部分に敷設した足場板７の鉛直荷重Ｌｖ'を支持することができる。即ち、上記構成のガードポスト１によれば、図４（Ａ）に仮想線（一点鎖線）で示す如く、足場板７を基部２上（水平鋼管２０上）に敷設し、パラペット部分Ｗに沿う仮設足場又は仮設通路等を建物Ａに形成することができる。
【００３９】
図５（Ａ）は、ガードポスト１の他の使用形態を示す側面図である。図５（Ａ）には、顎部Ｗａ（図１）を有しない構成のパラペット部分Ｗに上記構成のガードポスト１を取付けた状態が示されている。また、図５（Ｂ）には、ガードポスト１を取付ける前の状態（改修工事前の通常の状態）のパラペット部分Ｗが示されている。なお、図５において、図１〜図４に示す構成要素又は構成部材と実質的に同一又は同等の構成要素又は構成部材については、同一の参照符合が付されている。
【００４０】
図５に示す如く、顎部Ｗａ（図１）を備えない構成のパラペット部分Ｗでは、防水層Ｊの縁部は、水切り金物Ｏ等による雨仕舞い又は端部処理がなされる。また、パラペット部分Ｗの上端部には、例えば、図５（Ｂ）に示すように金属笠木Ｗｂが取付けられる。金属笠木Ｗｂは、ガードポスト１をパラペット部分Ｗに取付ける前に、パラペット部分Ｗから取り外される。パラペット部分Ｗの上面奥行寸法Ｘ１（図５（Ａ））は、比較的小さく、１５０mm〜２００mm程度であり、パラペット部分Ｗの高さは、４００mm〜６００mm程度である。なお、図５（Ａ）には、屋上部分又は屋根部分の雨水を排水するための排水ドレインＤが示されている。
【００４１】
図５（Ａ）に示す如く、ガードポスト１は、水平鋼管２０をパラペット部分Ｗの上面に載置し、支承部材２１の平坦面２１ａをパラペット部分Ｗ上に着座せしめることにより、パラペット部分Ｗ上に位置決めされる。前述の使用形態と同じく、固定係留具４の当接部４３（図３）は、パラペット部分Ｗの外側表面から僅かに離間した位置に配置される。また、可動係留具５は、図５（Ａ）に矢印で示す如く、パラペット部分Ｗの屋上側表面に接近した位置に移動され、係止具８によって水平鋼管２０に係止される。
【００４２】
前述の使用形態と同じく、適当な工具によってナット４６、５６（図３）を回転させ、アジャスタボルト４２、５２（図３）の当接部４３、５３（図３）を高ナット４８、５８に対して締付けることにより、当接部４３、５３でパラペット部分Ｗを強圧し、当接部４３、５３によってパラペット部分Ｗを堅固に挟持することができる。このような状態においては、パラペット部分Ｗと当接部４３、５３との接触部は、一対の支点Ｆを構成し、ガードポスト１は、滑り等の現象が支点Ｆに発生しない限り、パラペット部分Ｗによって安定支持される。また、図５（Ａ）に仮想線（一点鎖線）で示す如く、足場板７を基部２上に敷設し、パラペット部分Ｗに沿う仮設足場又は仮設通路等を建物Ａに形成することができる。
【００４３】
以上、本発明の好適な実施例について詳細に説明したが、本発明は上記実施例に限定されるものではなく、特許請求の範囲に記載された本発明の範囲内で種々の変形又は変更が可能である。
【００４４】
例えば、上記実施例は、鉄筋コンクリート構造の建築物のパラペット部分に本発明のガードポストを取付けた構成のものであるが、本発明のガードポストは、鉄骨構造又は鉄骨鉄筋構造（Ｓ造又はＳＲ造）の建築物のパラペット部分に取付けることも可能である。
【００４５】
また、上記実施例では、円形断面の鋼管を基部及び支柱として使用しているが、他の種類、断面又は材質の金属管等を基部及び支柱として使用しても良い。
【００４６】
更に、ガードポストの支柱には、伸縮式の手摺部材や、ブレース等を係止しても良く、或いは、安全帯や、ロープ等を係留するための係留具を取付けても良い。
【００４７】
また、ガードポストの剛性を更に向上すべく、斜材又は方杖等の補強部材を基部及び支柱に連結しても良い。
【産業上の利用可能性】
【００４８】
本発明は、建築物の屋根又は屋上のパラペット上に墜落防護工を形成するガードポストに適用される。本発明によれば、ガードポストに作用する曲げモーメントを軽減し、過大な曲げ応力、剪断応力等がガードポストの基部に作用するのを防止することができるので、その実利性又は実用的効果は、顕著である。
【符号の説明】
【００４９】
１  ガードポスト
２  鋼製基部
３  鋼製支柱
４  固定係留具
５  可動係留具
６  鋼管（手摺り）
７  足場板
８  係止具
９  係留用線材
２０  水平鋼管
２１  支承部材
２２  位置決め孔
３０  鉛直鋼管
４２、５２  アジャスタボルト
４３、５３  当接部
α  建物内側領域
β  パラペット部分の直上帯域
γ  支柱直下領域
Ａ  建物（建築物）
Ｃ  支点中心
Ｆ  支点
Ｇ  重心
Ｗ  パラペット部分
Ｌｈ  水平荷重
Ｌｖ  鉛直荷重
Ｘ１  奥行寸法
Ｘ２  間隔
【図１】
0006619918.tif 000002
【図２】
0006619918.tif 000003
【図３】
0006619918.tif 000004
【図４】
0006619918.tif 000005
【図５】
0006619918.tif 000006
【図６】
0006619918.tif 000007